(57)【要約】【課題】  強靱な体力を持っている人の体力増強、老人のリハビリ、病弱な人の体力増強、病後の体力回復を図るのに適し、手を使用できない人にとっても、通常の健常人と同じように下半身の筋肉を鍛えることのできる運動補助器具を提供すること。【解決手段】  伸縮性を備え紐状に形成する少なくとも１本のゴム部材と，ゴム部材の端部のそれぞれに固定されるリング部材と，１本のゴム部材の端部を２本に合わせ揃え一端に輪を形成し、２本に揃えたゴム部材に摺動自在に嵌装し任意の一箇所で束ね輪の大きさを調整する調整部材と，調整部材の２本に揃えたゴム部材の開放端側に２本に揃えたゴム部材に摺動自在に嵌装し調整部材がゴム部材の開放側に移動しないように規制する止め部材と，止め部材の２本に揃えたゴム部材の開放端側に摺動自在に嵌装し２つのリング部材によるゴム部材の開く位置を規制する開き位置規制部材と，によって構成する。【選択図】図１
2007307330.tif 000002
【特許請求の範囲】
【請求項１】
伸縮性を備え紐状に形成する少なくとも１本のゴム部材と，
前記ゴム部材の端部のそれぞれに固定されるリング部材と，
前記１本のゴム部材の端部を２本に合わせ揃え一端に輪を形成し、前記２本に揃えたゴム部材に摺動自在に嵌装し任意の一箇所で束ね前記輪の大きさを調整する調整部材と，
前記調整部材の前記２本に揃えたゴム部材の開放端側に、前記２本に揃えたゴム部材に摺動自在に嵌装し前記調整部材が前記ゴム部材の開放側に移動しないように規制する止め部材と，
前記止め部材の前記２本に揃えたゴム部材の開放端側に摺動自在に嵌装し前記２つのリング部材による前記ゴム部材の開く位置を規制する開き位置規制部材と，
によって構成したことを特徴とする運動補助器具。
【請求項２】
前記ゴム部材は、伸縮性を備えた帯状に形成されたものである請求項１に記載の運動補助器具。
【請求項３】
前記ゴム部材は、前記輪の形成位置に、筒状のクッション材を嵌着したものである請求項１又は２に記載の運動補助器具。
【請求項４】
前記クッション材は、前記ゴム部材によって前記ゴム部材の輪の形成部分が身体に食い込まない保形性を備えたウレタン材で形成したものである請求項３に記載の運動補助器具。
【請求項５】
前記リング部材は、伸縮性を有しない帯状の部材で形成したものである請求項１，２、３又は４に記載の運動補助器具。
【請求項６】
前記リング部材は、該リング部材に足を掛けた際の足の甲に当たる位置に、筒状のクッション材を嵌着させたものである請求項１，２，３、４又は５に記載の運動補助器具。
【請求項７】
前記クッション材は、ウレタン材で形成したものである請求項６に記載の運動補助器具。
【発明の詳細な説明】
【技術分野】
【０００１】  本発明は、リング状に形成したゴム部材を用いて構成し、身体を鍛える運動補助器具に関する。
【背景技術】
【０００２】  従来、身体を鍛える運動補助器具として手軽に使えることからエクスパンダーが良く知られており、多くの人々が愛用している。この従来のエクスパンダーは、複数本の金属製のスプリングのそれぞれの端部を把手に引っ掛け固定し、金属製のスプリングの端部を引っ掛けた把手をそれぞれ手で握り、引両腕を水平に左右に開くことによって腕、胸の筋肉を鍛えるものとなっている。【０００３】  近年、運動補助器具に対する人々の関心は、高まり、老若男女を問わず、車椅子の人、ベットに寝た状態の人、あらゆる人が利用できる運動補助器具の出現が期待されている。特に、病後のリハビリ、身体に障害を持つ人が安全で気軽に利用できる運動補助器具の出現が待ち望まれていた。
そこで、本発明者は、従来、伸縮性を備え紐状に形成するゴム材をリング状に形成してなるリング状ゴム部材と、リング状ゴム部材を少なくとも２本用い、２本のリング状ゴム部材を嵌装し任意の一箇所で束ね固定する止め部材とを設け、止め部材を摺動自在に取り付け束ね固定する位置を調整可能にすると共に、リング状ゴム部材の止め部材を挟んだいずれか一方又は両方の把手近傍に手首又は足首に通すリング部材を取り付けた運動補助器具を提案している（例えば特許文献１参照）。
【特許文献１】  特許第３６２６９７０号公報
【発明の開示】
【発明が解決しようとする課題】
【０００４】  しかしながら、従来のエクスパンダーにあっては、金属製のスプリングを用いており、ある程度健康な人の筋力増強を目指したものとなっているため、病後のリハビリ、障害を持った人の体力増強に利用できないという問題点を有している。
さらに、従来のエクスパンダーは、金属製のスプリングを用いており、端部に引っ掛けた把手を持って、両腕を水平に左右に開くようにスプリングを伸ばす運動にしか使用できず使用方法が限定されたものとなっており、運動用として幅広く用いることができないものとなっていた。【０００５】  また、従来のエクスパンダーにあっては、金属製のスプリングを用いて構成してあるため、力の無い人が扱うと、エクスパンダーを引両腕を水平に左右に開いた後、戻す際に金属製のスプリングで肌が挟まれたりして上手く扱えないことが多いという問題点を有している。
さらに、老人の場合、上半身よりも下半身、特に足が弱り独力で歩行することができない人が増加している。この老人の足腰を鍛えることが老齢化の進む社会では大切なっている。しかしながら、従来のエクスパンダーでは、腕の筋力をしレーニングすることはできても、足腰を鍛えることはできないものとなっていてる。
加えて、従来のエクスパンダーにあっては、長期に入院している人は、足腰が弱っており、健常者と同じように歩行することが難しくなっており、長期入院者の社会復帰のための歩行リハビリ、病弱な人の体力増強に使用するのが難しいという問題点を有している。【０００６】  また、特許文献１の運動補助器具１は、調整部材６、７の位置を調整してさらに、止め部材３を摺動して足に掛ける方のリング状ゴム部材２のリングを小さくなるように調整し、リング状ゴム部材２１、２２の一方の把手５に足を掛け、他方を手で引き上げる運動を行うものとなっている。
このようにリング状ゴム部材２１、２２の他方の把手５を手で持って引き上げることによって運動を行うため、手が不自由で使えない者にとっては、使用することができないという問題点がある。【０００７】  本発明の目的は、強靱な体力を持っている人の体力増強、老人のリハビリ、病弱な人の体力増強、病後の体力回復を図るのに適し、手を使用できない人にとっても、通常の健常人と同じように下半身の筋肉を鍛えることのできる運動補助器具を提供することにある。
【課題を解決するための手段】
【０００８】  本発明の目的を達成するために、請求項１に記載の発明に係る運動補助器具は、伸縮性を備え紐状に形成する少なくとも１本のゴム部材と，ゴム部材の端部のそれそれに固定されるリング部材と，１本のゴム部材の端部を２本に合わせ揃え一端に輪を形成し、２本に揃えたゴム部材に摺動自在に嵌装し任意の一箇所で束ね輪の大きさを調整する調整部材と，調整部材の２本に揃えたゴム部材の開放端側に２本に揃えたゴム部材に摺動自在に嵌装し調整部材がゴム部材の開放側に移動しないように規制する止め部材と，止め部材の２本に揃えたゴム部材の開放端側に摺動自在に嵌装し２つのリング部材によるゴム部材の開く位置を規制する開き位置規制部材と，によって構成したものである。【０００９】  本発明の目的を達成するために、請求項２に記載の発明に係る運動補助器具は、ゴム部材を、伸縮性を備えた帯状に形成されたもので構成したものである。【００１０】  本発明の目的を達成するために、請求項３に記載の発明に係る運動補助器具は、ゴム部材の輪の形成位置に、筒状のクッション材を嵌着させて構成したものである。【００１１】  本発明の目的を達成するために、請求項４に記載の発明に係る運動補助器具は、クッション材を、ゴム部材によってゴム部材の輪の形成部分が身体に食い込まない保形性を備えたウレタン材で構成したものである。【００１２】  本発明の目的を達成するために、請求項５に記載の発明に係る運動補助器具は、リング部材を、伸縮性を有しない帯状の部材で構成したものである。【００１３】  本発明の目的を達成するために、請求項６に記載の発明に係る運動補助器具は、リング部材を、リング部材に足を掛けた際の足の甲に当たる位置に、筒状のクッション材を嵌着させて構成したものである。【００１４】  本発明の目的を達成するために、請求項７に記載の発明に係る運動補助器具は、クッション材を、ウレタン材で構成したものである。
【発明の効果】
【００１５】  このように構成することにより、請求項１に記載の発明によると、強靱な体力を持っている人の体力増強、老人のリハビリ、病弱な人の体力増強、病後の体力回復を図るのに適し、手を使用できない人にとっても、通常の健常人と同じように下半身の筋肉を鍛えることができる。【００１６】  このように構成することにより、請求項２に記載の発明によると、使用者がゴム部材を身体の一部に装着して使用する場合、装着した身体の一部にゴム部材が食い込むのを防止することができる。【００１７】  このように構成することにより、請求項３に記載の発明によると、使用者がゴム部材を身体の一部に装着して使用する場合、装着した身体の一部にゴム部材が当たって痛くなるのを防止することができる。【００１８】  このように構成することにより、請求項４に記載の発明によると、使用者がゴム部材を身体の一部に装着して使用する場合、装着した身体の一部にゴム部材が食い込むのをより防止することができる。【００１９】  このように構成することにより、請求項５に記載の発明によると、使用者がリング部材を足に掛けて使用する場合、足に掛けたリング部材が伸縮せず、帯状になっているので、足に掛けて使用するリング部材を安定させることができる。【００２０】  このように構成することにより、請求項６に記載の発明によると、使用者がリング部材を足に掛けて使用する場合、リング部材が足の甲に当たって痛くなるのを防止することができる。【００２１】  このように構成することにより、請求項７に記載の発明によると、使用者がリング部材を足に掛けて使用する場合、リング部材が足の甲に当たってもウレタン材で保護するので痛くなるのをより防止することができる。
【発明を実施するための最良の形態】
【００２２】  以下、本発明の実施の形態について説明する。
図１には本発明に係る運動補助器具の一実施例が示されている。
図１において、本発明に係る運動補助器具１は、ゴム部材２と、ゴム部材２の端部のそれぞれに固定されるリング部材３，４と、調整部材５と、調整部材５の移動を規制する止め部材６と、開き位置規制部材７とによって構成されている。【００２３】  ゴム部材２は、伸縮性を備え紐状に形成する少なくとも１本（本実施例においては、１本）の部材で形成されている。このゴム部材２は、本実施例においては、チューブ状に形成されており、天然ゴム材、合成ゴム材のいずれで構成しても良い。また、このゴム部材２は、チューブ状に形成したものでなくても、伸縮性を備えていれば、丸紐であっても良い。また、ゴム部材２は、本実施例においては、１本のゴムのチューブで形成されているが、必ずしもチューブである必要はなく、また、必ずしも１本で形成することもなく、２本、３本というように複数本であってもよい。【００２４】  このゴム部材２には、１本のゴム部材２の端部を２本に合わせ揃えて、一端に輪８が形成されている。このゴム部材２の輪８は、例えば、ゴム部材２を人の胴体に巻き付ける部分で、この輪８の部分のゴム部材２には、図２に示す如く、クッション材９が嵌着されている。このクッション材９は、筒状に形成されており、ゴム部材２に嵌合し、ゴム部材２の輪８の部分に位置するように、摺動可能に取り付けられている。ゴム部材２の輪８の部分の範囲内で、その位置を移動できるようになっている。【００２５】  この輪８の部分のゴム部材２に嵌着されているクッション材９は、定常状態（ゴム部材２が伸長していない状態）で、少なくともゴム部材２の輪８の長さと同じ長さ形成されている。このクッション材９の長さは、ゴム部材２の輪８の部分に人の胴体を入れたときに、少なくとも人の胴体の脇腹近傍にくる長さに形成されている（最適には、人の胴体を廻る長さに形成してある）。この状態でゴム部材２を引っ張ると、ゴム部材２が伸長し、クッション材９の長さよりも輪８の部分のゴム部材２の長さの方が長くなる。このときクッション材９の位置は、摺動させて任意の位置に移動することができる。【００２６】  また、クッション材９は、図２に示す如く、１本で形成しても良いが、図３に示す如く、２つに分割されており、２本のクッション材９ａ，９ｂによって構成してもよい。本実施例では、図３に示す如く、２本のクッション材９ａ，９ｂによって構成されている。これは、運動補助器具１を収納する際に、ゴム部材２の輪８の部分を２つに折り曲げられるようにするためである。すなわち、運動補助器具１を使用しないとき、ゴム部材２の輪８の部分が１本のクッション材９で形成してあると、クッション材９の部分を折り曲げて重ねるようにして収納する際に、クッション材９の復元力によって真っ直ぐになろうとし、スムーズにいかないからである。【００２７】  このクッション材９（９ａ，９ｂ）は、本実施例においては、ゴム部材２によってゴム部材２の輪８の形成部分が身体に食い込まない保形性を備えたウレタン材で構成してある。このクッション材９は、保形性を持たせ、ゴム部材２によってゴム部材２の輪８の形成部分が身体に食い込まないようにしたものであり、必ずしも、ウレタン材で構成する必要はなく、ゴム部材２によってゴム��材２の輪８の形成部分が身体に食い込まない保形性を備え、弾性を有するものであればどのような材質であっても良い。【００２８】  リング部材３，４は、１本のゴム部材２の両端部に固定されるている。このリング部材３，４は、図４，図５に示す如く、構成されている。このリング部材３とリング部材４とは共に同様の構成を有しているので、図４においては、リング部材３について説明する。リング部材３は、ゴム部材２の端部に固定されている。このゴム部材２の端部には、ロート状に形成される係止部材１０がチューブ内に圧入されており、このチューブ内への係止部材１０の圧入によってリング部材３がゴム部材２の端部から抜け落ちないようになっている。【００２９】  このリング部材３は、ゴム部材２を嵌合し、係止部材１０と係合してリング部材３がゴム部材２の端部から抜け落ちないようにする係合金具１１を有している。この係合金具１１は、金属製でできていて、リング状に形成されている。この係合金具１１は、外周部に周回して受け部１１ａが形成されている。この係合金具１１の受け部１１ａには、伸縮性を有しない帯状の部材で構成されている１枚の帯状の紐１２の端部１２ａ，１２ｂ同士を重ね合わせて固着された部分が装着されている。したがって、係合金具１１は、紐１２の端部１２ａ，１２ｂ同士を重ね合わされた部分に埋め込まれたようになっている。【００３０】  また、帯状の紐１２は、伸縮性を有しない材料、例えば、布製でできており、係止部材１０の近傍の一部が離れないように固着部１３が形成されている。この固着部１３によって帯状の紐１２は、リング状に形成されている。このリング状に形成された帯状の紐１２には、筒状に形成されたクッション材１４が嵌着されている。帯状の紐１２は、本実施例では、布製で構成されているが、伸縮性を有しない材料であれば、布製に限らず、樹脂製でも良い。【００３１】  この帯状の紐１２に嵌着されているクッション材１４は、少なくとも帯状の紐１２の半分の長さと同じ長さ形成されている。このクッション材１４の長さは、帯状の紐１２に人の足を挿入したときに、少なくとも人の足の甲の位置にくる長さに形成されている。すなわち、リング部材３に足を掛けた際の足の甲に当たる位置に、筒状のクッション材１４が来るようになっている。
このクッション材１４は、本実施例においては、ウレタン材で構成してある。このクッション材１４は、必ずしも、ウレタン材で構成する必要はなく、リング部材３に足を掛けた際の足の甲に当たる位置で、帯状の紐１２が当たって痛くならないようにできるもので有れば、何でも良い。【００３２】  リング部材４は、リング部材３と同様に形成されるが、人の足は、左右異なっているので、リング部材４に足を掛けた際の足の甲に当たる位置は、リング部材３に足を掛けた際の足の甲に当たる位置とは、異なっている。このため、リング部材４は、リング部材３と構成は同じであるが、リング状に形成された帯状の紐１２に嵌着される筒状に形成されたクッション材１４は、リング部材３とは反対側になる。
なお、３０は、カバーで、ゴム部材２の端部に挿入されているロート状に形成される係止部材１０と、この係止部材１０の外側に設けられた帯状の紐１２の一部を覆うものである。このカバー３０は、ゴム部材２の端部に挿入されているロート状に形成される係止部材１０の外側に、伸縮性を有しない帯状の部材で構成されている１枚の帯状の紐１２の端部１２ａ，１２ｂ同士を重ね合わせて固着された部分を形成した後、被せて外部から見えないようにするためのものであり、伸縮性のある円筒状のベルトによって構成されている。したがって、このカバー３０は、被せて外部から見えないようにできる伸縮性のあるものであれば、どのような材質のものでも良い。【００３３】  調整部材５は、図６に示す如く構成されている。この調整部材５は、保護リング１５と筒部材１６とによって構成されている。保護リング１５の径は、筒部材１６の外径よりも小さく、と内径よりも大きい径となっている。そして、この保護リング１５は、１本のゴム部材２の端部を２本に合わせ揃え一端に輪を形成し、２本に揃えたゴム部材２に摺動自在に嵌装し任意の一箇所で束ね輪８の大きさが広がらないように押さえるためのものである。
また、筒部材１６は、２本に揃えたゴム部材２に摺動自在に嵌装し輪８の大きさが広がらないように押さえるためのものである。そして、筒部材１６は、１本のゴム部材２の端部を２本に合わせ揃え形成する輪８の大きさを決めるためのもので、嵌合する２本に揃えたゴム部材２上を摺動して任意の箇所に停止することによって、１本のゴム部材２の端部を２本に合わせ揃え形成する輪８の大きさが決定される。この筒部材１６は、ウレタン材で構成してある。【００３４】  このように調整部材５は、筒部材１６によって、１本のゴム部材２の端部を２本に合わせ揃え形成する輪８の大きさを決定し、その場所に筒部材１６を停止させると、１本のゴム部材２の端部の２本に合わせ揃え形成した輪８側が、図７に示す如く、２本に分かれてゴム部材２を筒部材１６を開くように引っ張っても、ゴム部材２の長さ方向に移動することはない。これは、１本のゴム部材２の端部の２本に合わせ揃え形成した輪８側が、図７に示す如く、２本に分かれてゴム部材２を筒部材１６を開くように引っ張られたときに、ゴム部材２が２本に分かれて筒部材１６を開くように引かれても、保護リング１５の作用により、それ以上開くのが規制され、ゴム部材２が２本に分かれて筒部材１６を開くように引かれたときに生じるゴム部材２の長さ方向への力は、止め部材６によって規制されるからである。
このように調整部材５は、１本のゴム部材２の端部を２本に合わせ揃え一端に輪８を形成し、２本に揃えたゴム部材２に摺動自在に嵌装し任意の一箇所で束ね輪８の大きさを調整する作用を有している。【００３５】  止め部材６は、図８に示す如く構成されており、調整部材５のリング部材３，４側で、２本に揃えたゴム部材２に取り付けられている。この止め部材６は、帯状の板材をＣ状に形成された止め部材本体１７を有し、この止め部材本体１７は、両辺のそれぞれに内側に突出する突出部１８ａ，１８ｂが設けられている。この止め部材本体１７には、２カ所に穴１７ａ，１７ｂが形成されており、この２つの穴１７ａ，１７ｂに２本に揃えたゴム部材２が貫通するようになっている。この止め部材本体１７の一方の先端には、止め部材本体１７の幅方向に延びる山状の突起が複数個設けられる係合部１９が形成されている。また、この止め部材本体１７の他方の先端は、係合部１９の山状の突起に係合し、止められる係止部２０が形成されている。【００３６】  この止め部材６は、図９に示す如く、係止部２０を矢印Ａに示す方向に押圧し、係合部１９に係合すると、２本に揃えたゴム部材２を突出部１８ａと突出部１８ｂとによって締め付ける。この突出部１８ａと突出部１８ｂによる２本に揃えたゴム部材２を締め付けると、図９に示す如く、止め部材６は、ゴム部材２に固定される。この止め部材６を、ゴム部材２に固定することによって、２本に分かれてゴム部材２が筒部材１６を開くように引っ張ったときに、ゴム部材２が２本に分かれて筒部材１６を開くように引かれたときに生じる調整部材５をゴム部材２の長さ方向へ押す力は、止め部材６によって規制される。
このように止め部材６は、２本に揃えたゴム部材２の開放端側に設けられ、２本に揃えたゴム部材に摺動自在に嵌装し調整部材５がゴム部材２の開放側に移動しないように規制する作用を有している。【００３７】  開き位置規制部材７は、図１０に示す如く構成されており、止め部材６のリング部材３，４側で、２本に揃えたゴム部材２に取り付けられている。この開き位置規制部材７は、止め部材６の２本に揃えたゴム部材２の開放端側に、摺動自在に嵌装し２つのリング部材３，４によってゴム部材２が開く位置を規制するものである。すなわち、開き位置規制部材７は、止め部材６とリング部材３，４との間に設けられている。
この開き位置規制部材７は、規制部材２１と押さえリング２２とによって構成されている。規制部材２１は、筒状に形成され、規制部材２１の筒部内には、ゴム部材２の端部を２本に合わせ揃えてなるゴム部材２が嵌合されている。この規制部材２１の外周には、規制部材２１の筒外径よりも小さい径の押さえリング２２が嵌め込まれている。この規制部材２１の筒外径よりも小さい径の押さえリング２２は、規制部材２１の外周に嵌め込むことにより、規制部材２１の筒部内周面でゴム部材２を押さえ付けるようになっている。【００３８】  この規制部材２１は、ウレタン材で構成されている。この規制部材２１によってリング部材３，４の開く位置を特定することは、リング部材３，４に足を掛けて開くときの強さを決めている。すなわち、規制部材２１の位置がリング部材３，４に近ければ近いほど開くときに力を要する。このようにリング部材３，４に足を掛けて開く強さは、規制部材２１をセットする位置によって異なっている。
したがって、開き位置規制部材７は、リング部材３，４の開く位置を特定し、２本に合わせ揃えてなるゴム部材２上を摺動し、特定した位置に開き位置規制部材７を移動して位置せしめる。すると、リング部材３，４に両足を掛けて、それぞれ開くと、開き位置規制部材７の規制部材２１から出ているの２本のゴム部材２は、図１１に示す如く、２本に分かれてゴム部材２を規制部材２１の下側を開くように引っ張っても、ゴム部材２の長さ方向（図の上方向）に移動することはない。【００３９】  このように２本に分かれてゴム部材２を規制部材２１の下側を開くように引っ張っても、これ以上開かないのは、規制部材２１の下側が、図１１に示す如く、２本に分かれてゴム部材２が規制部材２１の下側を開くように引っ張られても、押さえリング２２の作用によって、それ以上開くのを規制しているからである。また、２本に分かれてゴム部材２を規制部材２１の下側を開くように引っ張られると、開き位置規制部材７の規制部材２１には、ゴム部材２の長さ方向（図の上方向）に移動する力となって作用する。しかし、２本に分かれてゴム部材２を規制部材２１の下側を開くように引っ張られ、開き位置規制部材７の規制部材２１にゴム部材２の長さ方向（図の上方向）に移動する力となって作用しても、規制部材２１の筒部内面とゴム部材２とに摩擦力が働き、押さえリング２２による締め付け力も作用して、開き位置規制部材７は、ゴム部材２の長さ方向（図の上方向）に移動することが規制される。
このように開き位置規制部材７は、止め部材６の２本に揃えたゴム部材２の開放端側に摺動自在に嵌装し２つのリング部材３，４によるゴム部材２の開く位置を規制する作用を有している。【００４０】  図１２に、図１に図示の運動補助器具１の使用例が示してある。
まず、運動補助器具１のゴム部材２の輪８の部分を人１００の胴体１１０に巻き付ける。その後、人１００の身体側に調整部材５を引き上げて、移動し、胴体１１０の巻き付け位置に適した位置（通常、ベルト付近）まで移動する。そして、止め部材６を調整部材５の下に移動し、止め部材本体１７の先端の係止部２０を、係合部１９の山状の突起に係合する。これによって止め部材６で調整部材５が人１００の身体側から離れる方向、リング部材３，４側に移動するのを防止している。
しかる後、リング部材３に人１００の一方の足（例えば、右足）１２０を、リング部材４を他方の足（例えば、左足）１３０を掛ける。そして、リング部材３，４に嵌着されているクッション材１４は、人１００の足１２０，１３０を挿入したときに、少なくとも人１００の足１２０，１３０の甲１２１，１３１の位置にくるようにセットする。このクッション材１４は、敢えて人１００の足１２０，１３０の甲１２１，１３１の位置にくるようにセットしなくても、リング部材３，４を片足１２０，１３０ずつに掛けるだけで、人１００の足１２０，１３０の甲１２１，１３１の位置にセットされるように取り付けられている。【００４１】  次に、開き位置規制部材７をゴム部材２の輪８側、又はリング部材３，４側に移動して、開き位置規制部材７の設定位置を決める。この開き位置規制部材７は、運動補助器具１を使用して運動を行い人の体力によって決定するもので、開き位置規制部材７の位置をゴム部材２の輪８側に近く設置すると、リング部材３，４によって開脚する力を弱くすることができ、開き位置規制部材７の位置をリング部材３，４側に近く設置すると、リング部材３，４によって開脚する力を強くすることができる。このように開き位置規制部材７は、任意に位置に移動することによって、各個人の体力に合わせてリング部材３，４による開く強さを決めている。【００４２】  このように調整部材５の位置、開き位置規制部材７の位置を調整し終わると、運動を開始することができる。このように運動補助器具１を装着した立った状態で、足を屈伸する運動をしたり、歩行する運動を行う。特に、両手を頭の後ろで組んで、そのままの姿勢で、足を屈伸させて、上体を上下動する運動を行う。さらには、運動補助器具１を装着したのち、椅子に座り、この椅子に座った状態のままで、片足を地上から上げて、この片足を地上から上げた状態で、開脚運動（足を開いたり、閉じたりする運動）、屈伸運動（片足を地上から上げたままで屈伸する運動）を行う。この位置規制部材７は、足の屈伸運動で、足を屈曲することは開き位置規制部材７のゴム部材２による引っ張る作用で比較的容易であるが、足を屈曲した状態から、伸長する際に筋力を必要とする。【００４３】  この開き位置規制部材７を人１００が装着し、開脚運動、屈伸運動を行うことによって足に筋力が付き、足腰を鍛えることができる。ここでは、体力がない人、老人を例に挙げて説明しているが、健常者がさらに体力増強を図る場合にも、有効である。また、開き位置規制部材７のゴム部材２の強さを適宜選択することによって、開き位置規制部材７を使用する者の体力にあった開き位置規制部材７を提供できるので、一般の健常者から、格闘技、スポーツマンといった身体を使った職業の人たちに有効である。【００４４】  図１３に、図１に図示の運動補助器具１の他の使用例が示してある。すなわち、この図１３に図示の運動補助器具１の使用例は、図１２に図示の運動補助器具１の使用例が、立って使用するものであるのに対し、図１２に図示の運動補助器具１の使用例と同様に装着して、寝た人が使用するものを示したである。【００４５】  すなわち、寝た状態の人１００が運動補助器具１を使用して体力増強の運動を行う場��、まず、運動補助器具１のゴム部材２の輪８の部分を人１００の胴体１１０に巻き付け、人１００の身体側に調整部材５を移動して引き上げ、止め部材６の止め部材本体１７の先端の係止部２０を、係合部１９の山状の突起に係合して調整部材５の位置を規制する。
しかる後、人１００の足１２０，１３０の甲１２１，１３１の位置にリング部材３，４に嵌着されているクッション材１４がくるようにして、リング部材３に人１００の一方の足（例えば、右足）１２０を、リング部材４を他方の足（例えば、左足）１３０を掛ける。【００４６】  このように調整部材５の位置、開き位置規制部材７の位置を調整し終わると、運動を開始することができる。このように寝た状態の人１００に運動補助器具１を装着し、寝た状態のままで、足を開脚したり、屈伸する運動を行う。すなわち、寝た状態の人１００は、寝たままの状態で、開脚運動（足を開いたり、閉じたりする運動）、屈伸運動（片足を空中で空気を蹴るように屈伸する運動）を行う。
この位置規制部材７は、足の屈伸運動で、足を屈曲することは開き位置規制部材７のゴム部材２による引っ張る作用で比較的容易であるが、足を屈曲した状態から、伸長する際に筋力を必要とする。また、この位置規制部材７は、足を屈曲することは容易になっているが、足を伸長した状態で、足を開いたり、閉じたりする運動（開脚運動）を行うときは、筋力を必要とする。
したがって、この開き位置規制部材７を人１００が装着し、開脚運動、屈伸運動を行うことによって足に筋力が付き、足腰を鍛えることができる。【００４７】  その他、本発明は本発明の主旨を変えない範囲で種々変更実施可能なことは勿論である。
【図面の簡単な説明】
【００４８】
【図１】  本発明に係る運動補助器具の一実施の形態を示す全体構成図である。
【図２】  図１に図示のゴム部材の一部拡大斜視図である。
【図３】  図１に図示のゴム部材の別な実施例を示す一部拡大斜視図である。
【図４】  図１に図示のリング部材の全体構成図である。
【図５】  図４に図示のリング部材の一部拡大斜視図である。
【図６】  図１に図示の調整部材の全体構成斜視図である。
【図７】  図６に図示の調整部材の使用状態を示す図である。
【図８】  図１に図示の位置規制部材の全体構成図である。
【図９】  図８に図示の位置規制部材の使用状態を示す図である。
【図１０】  図１に図示の開き位置規制部材の全体構成斜視図である。
【図１１】  図１に図示の開き位置規制部材のゴム部材への装着状態を示す図である。
【図１２】  図１に図示の運動補助器具の使用状態を示す図である。
【図１３】  図１に図示の運動補助器具の他の使用状態を示す図である。
【符号の説明】
【００４９】１………………運動補助器具
２………………ゴム部材
３，４…………リング部材
５………………調整部材
６………………止め部材
７………………開き位置規制部材
８………………輪
９，１４………クッション材
１０……………係止部材
１１……………係合金具
１２……………紐
【図１】
2007307330.tif 000003
【図２】
2007307330.tif 000004
【図３】
2007307330.tif 000005
【図４】
2007307330.tif 000006
【図５】
2007307330.tif 000007
【図６】
2007307330.tif 000008
【図７】
2007307330.tif 000009
【図８】
2007307330.tif 000010
【図９】
2007307330.tif 000011
【図１０】
2007307330.tif 000012
【図１１】
2007307330.tif 000013
【図１２】
2007307330.tif 000014
【図１３】
2007307330.tif 000015